(57)【要約】      （修正有）【課題】ブーツの筒部を直立状態に保持し、ブーツが変形するのを防ぐことができる靴支持体構造を提供する。【解決手段】挟み棒ユニット１と、挟み留め具２とからなる。前記挟み棒ユニットは、対称の左、右二本の棒体１１を備え、前記左、右二本の棒体の上端は相互に向かい合わせて嵌め込んで固定されるか、或いは、一体成型される。前記挟み留め具２は、Ｃ型形状を呈するとともに、弾性開口を備え、前記挟み留め具は、前記弾性開口によって挟み棒ユニット１の二本の棒体の適切な位置に被せて固定され、それにより、二本の棒体の弾力性をもつ開閉部分の長さを調整することができる。また、各種異なる高さの筒部をもつブーツに適用できるだけでなく、ブーツを安定して支持することができ、適用性と実用性が向上する。【選択図】図５
0003170907.tif 000002
【実用新案登録請求の範囲】
【請求項１】
挟み棒ユニットと、挟み留め具とからなるブーツの靴支持体構造であって、
前記挟み棒ユニットは、対称の左、右二本の棒体を備え、前記左、右二本の棒体の上端は相互に向かい合わせて嵌め込んで固定されるか、或いは、一体成型され、
前記挟み留め具は、Ｃ型形状を呈するとともに、弾性開口を備え、
前記挟み留め具は、前記弾性開口によって挟み棒ユニットの二本の棒体の適切な位置に被せて固定され、それにより、二本の棒体の弾力性をもつ開閉部分の長さを調整し、ブーツの二本の筒部を挟んで固定することができることを特徴とする、ブーツの靴支持体構造。
【請求項２】
前記挟み棒ユニットの左、右二本の棒体の外側面には、複数の位置決め孔が等間隔で設けられ、前記挟み留め具の内側面には、向かい合う二つの位置決め凸部が設けられることを特徴とする、請求項１に記載のブーツの靴支持体構造。
【請求項３】
前記挟み棒ユニットの左、右二本の棒体の外側面における各位置決め孔の箇所には、それぞれ、横向誘導溝が設けられることを特徴とする、請求項２に記載のブーツの靴支持体構造。
【請求項４】
前記挟み棒ユニットの左、右二本の棒体の上端の内側面には、対応する二組のオス嵌合部とメス嵌合部が設けられることを特徴とする、請求項１に記載のブーツの靴支持体構造。
【請求項５】
前記挟み棒ユニットの左、右二本の棒体の下端には外向き延伸部が設けられることを特徴とする、請求項１に記載のブーツの靴支持体構造。
【請求項６】
前記挟み留め具の外側面にはグリップ部が設けられることを特徴とする、請求項１に記載のブーツの靴支持体構造。
【考案の詳細な説明】
【技術分野】
【０００１】
本考案は靴支持体に関し、特にブーツの筒部を直立状態に保持し、ブーツが変形するのを防ぐため、ブーツを置いておくのに便利なブーツの靴支持体に関する。
【背景技術】
【０００２】
一般的な靴業者は、靴を置いておく時や運送する時に、押されて変形し、靴が本来もつ美しい外形がくずれるのを避けるために、通常は、靴内に靴支持体を設けることによって靴の形状を維持させる。市場でよく見られる靴支持体の多くは、薄片状の材質を一体成型させてなる。その靴支持体の外形は、靴の形状に合わせて様々な形状に形成される。しかしながら、この種の靴支持体は、靴の変形を防止する機能はあるものの、一般的な靴にしか適用させることができず、ブーツの二本の筒部を相互にくっつけて留めることで筒部が本来あるべき直立状の外観を保持させることができない。従って、履いてない状態のブーツは、その筒部が傾きやすく、それによって、折れ曲がった跡がついて外観に影響するとともに、風通しが悪くなって異臭が生じることになり、使用者にとって困ったことになる。
【０００３】
上述の問題を解決するために、台湾特許第Ｍ３３８５６４号の「靴支持体」が考案された。その靴支持体は棒体からなり、棒体は二組からなる。二組の棒体の内壁と末端に近い箇所は相互にくっついた状態であり、二本の棒体の内壁は上方に向かうに従って間隔が大きくなるとともに、棒体頂端の連結部まで延伸するため、二本の棒体には、弾性をもつ適切な長さの開閉部分が形成される。また、棒体のくっついた部分には、下に向かって外向き延伸部が設けられ、高い筒部をもつ靴を支持しやすいとともに、前述の連結部の上方には引っかけ部が設けられ、引っかけ部には引っかけ孔が設けられ、引っかけ孔は複数であり、それにより、この靴支持体を壁に引っかけることができる。また、棒体には引っかけ棒が設けられ、引っかけ棒には除臭剤を設けることができ、除臭剤は高い筒部をもつ靴の筒部内に設けることができる。
【０００４】
このような従来の靴支持体は、ブーツを優雅な直立状態にし、ブーツがあるべき外観を保持して風通しをよくすることができるため、保管するときや販売する時に並べて置いておくのに便利であり、しかも、ブーツの使用寿命を延ばすことができる。しかしながら、その二組の棒体の内壁は、上方に向かうに従って間隔が大きくなり、しかも、挟みこんで固定する部分の長さが固定されているため、ブーツの筒部の高さの違いに合わせて調整することができない。従って、使用する際、挟み込んで固定するための最良の効果を得ることができず、靴支持体を使用した筒部が変形する恐れがあり、靴支持体が傾いて筒部を固定する作用が失われやすい。
【先行技術文献】
【特許文献】
【０００５】
【特許文献１】台湾特許第Ｍ３３８５６４号明細書
【考案の概要】
【考案が解決しようとする課題】
【０００６】
本考案は、挟み棒ユニットに挟み込んで固定する挟み留め具の位置を自由に変更することで、挟み棒ユニットの二本の棒体の弾力性をもつ開閉部分の長さを調整することができ、各種異なる高さの筒部をもつブーツに適用させることができ、適用性が向上する靴支持体構造を提供することを目的とする。
【０００７】
また、本考案は、使用する際、挟み留め具は、ブーツの筒部の高さの違いに応じて調整することができ、それにより、挟み棒ユニットの二本の棒体は、必要な弾力性をもつ開閉部分の長さを形成し、弾力性をもつ開閉部分は挟みこんで固定する一定の力があるため、靴支持体を使用したブーツの筒部が変形することがなく、しかも、靴支持体が傾いて筒部を支持・固定する作用が失われることがなく、それにより、実用性が向上する靴支持体構造を提供することを目的とする。
【課題を解決するための手段】
【０００８】
本考案の靴支持体構造は、挟み棒ユニットと、挟み留め具とからなる。前記挟み棒ユニットは、対称の左、右二本の棒体を備え、前記左、右二本の棒体の上端は相互に向かい合わせて嵌め込んで固定されるか、或いは、一体成型される。前記挟み留め具は、Ｃ型形状を呈するとともに、弾性開口を備え、前記挟み留め具は、前記弾性開口によって挟み棒ユニットの二本の棒体の適切な位置に被せて固定され、それにより、二本の棒体の弾力性をもつ開閉部分の長さを調整することができる。本考案によると、各種異なる高さの筒部をもつブーツに適用できるだけでなく、ブーツを安定して支持することができ、適用性と実用性が向上する。
【図面の簡単な説明】
【０００９】
【図１】本考案の実施例１の分解斜視図である。
【図２】本考案の組み立てた状態を示した斜視図である。
【図３】本考案の組み立てた状態の断面図である。
【図４】本考案の調整動作を示した説明図である。
【図５】本考案の使用状態を示した斜視図である。
【図６】本考案のもう一つの使用状態を示した斜視図である。
【図７】本考案の実施例２の斜視図である。
【考案を実施するための形態】
【００１０】
（実施例１）
図１から図３に示すように、本考案の靴支持体は、挟み棒ユニット１と、挟み留め具２とによって構成する。挟み棒ユニット１は、対称の左、右二本の棒体１１、１２を備え、左、右二本の棒体１１、１２上端の内側面には、対応する二組のオス嵌合部１１１とメス嵌合部１２１が設けられ、また、左、右二本の棒体１１、１２外側面には、複数の位置決め孔１１２、１２２が等間隔で設けられる。左、右棒体１１、１２外側面における各位置決め孔１１２、１２２の箇所には、それぞれ、横向誘導溝１１３、１２３が設けられ、左、右二本の棒体１１、１２下端には外向き延伸部１１４、１２４が設けられ、挟み留め具２はＣ型形状を呈するとともに、弾性開口２１を備え、挟み留め具２の内側面には、向かい合う二つの位置決め凸部２２が設けられ、外側面には、凹凸状のグリップ部２３が設けられる。
【００１１】
また、挟み棒ユニット１の左、右二本の棒体１１、１２は向かい合わせにくっつけられ、左、右二本の棒体１１、１２上端の内側面の二組のオス嵌合部１１１とメス嵌合部１２１は相互に嵌め合わせられ、挟み留め具２は、その弾性開口２１によって挟み棒ユニット１の二本の棒体１１、１２に被せて固定され、その内側面の二つの位置決め凸部２２は、誘導溝１１３、１２３の誘導により、挟み棒ユニット１の二本の棒体１１、１２の向かい合う位置決め孔１１２、１２２内に嵌め合わせ位置決めされ、それにより、二本の棒体の適切な長さの開閉部分に弾力性をもたせることができる。以上のようにして、本考案の靴支持体が形成される。
【００１２】
使用する時は、図４から図６に示すように、挟み留め具２を、ブーツ３の筒部３１の高さの違いに応じて自由に変換し、挟み棒ユニット１上の位置に嵌め合わせて固定することができ、それにより、挟み棒ユニット１の二本の棒体１１、１２の弾力性をもつ開閉部分の長さを調整することができる。そして、前記弾力性をもつ開閉部分をブーツ３の併せられた二本の筒部３１内に挿入し、ブーツ３の二本の筒部３１を挟みこんで固定することにより、ブーツを優雅に直立させ、ブーツのあるべき外観を保持させ、風通しをよくさせることができる。
【００１３】
（実施例２）
また、図７は、本考案の実施例２の斜視図である。上述の挟み棒ユニット１の左、右二本の棒体１１、１２の上端箇所は一体成型され、左、右二本の棒体１１、１２外側面には、複数の位置決め孔１１２、１２２と横向誘導溝１１３、１２３が等間隔で設けられ、左、右二本の棒体１１、１２の下端には外向き延伸部１１４、１２４が設けられる。
【００１４】
上述の具体的な実施例の構造によると、以下の効果を得ることができる。
１、本考案は、挟み棒ユニット１に挟みこんで固定する挟み留め具２の位置を簡単に変更できるため、挟み棒ユニット１の二本の棒体１１、１２弾力性をもつ開閉部分の長さを調整することができるとともに、各種異なる高さの筒部３１をもつブーツ３に適用することができ、適用性が向上する。
２．本考案を使用する際、挟み留め具２は、ブーツ３の筒部３１の高さの違いに応じて調整することができ、それにより、挟み棒ユニット１の二本の棒体１１、１２は、必要な弾力性をもつ開閉部分の長さを形成する。しかも、前記弾力性をもつ開閉部分は、挟みこんで固定する一定の力があるため、靴支持体を使用したブーツ３の筒部３１が変形することがなく、しかも、靴支持体が傾いて筒部３１を支持・固定する作用が失われることがなく、それにより、実用性が向上する。
【符号の説明】
【００１５】
１        挟み棒ユニット            
１１      棒体
１１１    オス嵌合部            
１１２    位置決め孔
１１３    誘導溝            
１１４    延伸部
１２      棒体                
１２１    メス嵌合部
１２２    位置決め孔              
１２３    誘導溝
１２４    延伸部              
２        挟み留め具
２１      弾性開口            
２２      定位凸部
２３      グリップ部              
３        ブーツ
３１      筒部
【図１】
0003170907.tif 000003
【図２】
0003170907.tif 000004
【図３】
0003170907.tif 000005
【図４】
0003170907.tif 000006
【図５】
0003170907.tif 000007
【図６】
0003170907.tif 000008
【図７】
0003170907.tif 000009